(57)【要約】【課題】一定の制限の下で光源の発光状態を変更することができる照明制御装置を提供する。【解決手段】照明制御装置２０は、時間帯に応じて光源３０の発光状態を制御するシーン制御を行う制御部２２と、光源３０の発光状態を指示する第一設定パラメータを入力するための第一操作を受け付ける操作受付部２１とを備える。制御部２２は、第一操作によって入力された第一設定パラメータが許容範囲内であるか否かの判定を行い、（１）入力された第一設定パラメータが許容範囲内であると判定された場合には、第一設定パラメータに基づいてシーン制御を行い、（２）入力された第一設定パラメータが許容範囲外であると判定された場合には、許容範囲内の設定パラメータに基づいてシーン制御を行う。【選択図】図２
2019149276.tif 000002
【特許請求の範囲】
【請求項１】
時間帯に応じて光源の発光状態を制御するシーン制御を行う制御部と、
前記光源の発光状態を指示する第一設定パラメータを入力するための第一操作を受け付ける操作受付部とを備え、
前記制御部は、前記第一操作によって入力された前記第一設定パラメータが許容範囲内であるか否かの判定を行い、（１）入力された前記第一設定パラメータが前記許容範囲内であると判定された場合には、前記第一設定パラメータに基づいて前記シーン制御を行い、（２）入力された前記第一設定パラメータが前記許容範囲外であると判定された場合には、前記許容範囲内の設定パラメータに基づいて前記シーン制御を行う
照明制御装置。
【請求項２】
前記シーン制御は、第一時間帯、及び、前記第一時間帯と異なる第二時間帯において行われ、
前記第一時間帯における前記許容範囲は、前記第二時間帯における前記許容範囲と異なる
請求項１に記載の照明制御装置。
【請求項３】
前記シーン制御は、第一時間帯、及び、前記第一時間帯と異なる第二時間帯において行われ、
前記操作受付部は、前記第二時間帯における前記光源の発光状態を指示する第二設定パラメータを入力するための第二操作をさらに受け付け、
前記制御部は、前記第二操作によって入力された前記第二設定パラメータに応じて前記第一時間帯における前記許容範囲を決定する
請求項１または２に記載の照明制御装置。
【請求項４】
前記第二設定パラメータは、前記光源が発する光の明るさを指示する設定パラメータであり、
前記制御部は、前記第二設定パラメータによって指示される明るさの所定倍の明るさを前記許容範囲の上限値または下限値として決定する
請求項３に記載の照明制御装置。
【請求項５】
前記第二設定パラメータは、前記光源が発する光の明るさを指示する設定パラメータであり、
前記制御部は、前記第二設定パラメータによって指示される明るさを所定量オフセットさせた明るさを前記許容範囲の上限値または下限値として決定する
請求項３に記載の照明制御装置。
【請求項６】
前記第二設定パラメータは、前記光源が発する光の色温度を指示する設定パラメータであり、
前記制御部は、前記第二設定パラメータによって指示される色温度を所定量オフセットさせた色温度を前記許容範囲の上限値または下限値として決定する
請求項３に記載の照明制御装置。
【請求項７】
前記第一時間帯は、前記第二時間帯の後に連続する
請求項５または６に記載の照明制御装置。
【請求項８】
前記操作受付部は、前記照明制御装置のユーザ情報を入力するための第三操作を受け付け、
前記制御部は、前記第三操作によって入力された前記ユーザ情報に応じて前記許容範囲を決定する
請求項１または２に記載の照明制御装置。
【請求項９】
前記ユーザ情報は、ユーザの年齢を示す情報である
請求項８に記載の照明制御装置。
【請求項１０】
前記ユーザ情報は、ユーザの健康状態を示す情報である
請求項８に記載の照明制御装置。
【請求項１１】
前記操作受付部は、前記光源の使用環境を示す環境情報を入力するための第四操作を受け付け、
前記制御部は、前記第四操作によって入力された前記環境情報に応じて前記許容範囲を決定する
請求項１または２に記載の照明制御装置。
【請求項１２】
前記環境情報は、前記光源が使用される場所の季節を示す情報である
請求項１１に記載の照明制御装置。
【請求項１３】
前記環境情報は、前記光源が使用される場所の緯度を示す情報である
請求項１１に記載の照明制御装置。
【請求項１４】
さらに、前記シーン制御におけるデフォルト設定パラメータが記憶された記憶部を備え、
前記制御部は、入力された前記第一設定パラメータが前記許容範囲外であると判定された場合には、前記デフォルト設定パラメータに基づいて前記シーン制御を行う
請求項１〜１３のいずれか１項に記載の照明制御装置。
【請求項１５】
前記制御部は、入力された前記第一設定パラメータが前記許容範囲外であると判定された場合には、前記許容範囲内で入力された前記第一設定パラメータに最も近い設定パラメータに基づいて前記シーン制御を行う
請求項１〜１３のいずれか１項に記載の照明制御装置。
【請求項１６】
請求項１〜１５のいずれか１項に記載の照明制御装置と、
前記光源とを備える
照明システム。
【請求項１７】
時間帯に応じて光源の発光状態を制御するシーン制御を行う照明制御方法であって、
前記シーン制御中の前記光源の発光状態を指示する第一設定パラメータを入力するための第一操作を受け付け、
前記第一操作によって入力された前記第一設定パラメータが許容範囲内である場合には、入力された前記第一設定パラメータに基づいて前記シーン制御を行い、
入力された前記第一設定パラメータが前記許容範囲外であると判断される場合には、前記許容範囲内の設定パラメータに基づいて前記シーン制御を行う
照明制御方法。
【請求項１８】
請求項１７に記載の照明制御方法をコンピュータに実行させるためのプログラム。
【発明の詳細な説明】
【技術分野】
【０００１】
本発明は、照明制御装置、照明システム、及び、照明制御方法に関する。
【背景技術】
【０００２】
さまざまな照明制御が提案されている。特許文献１には、室内に存在する人の人数、気分、雰囲気等に適合した照明制御が開示されている。
【先行技術文献】
【特許文献】
【０００３】
【特許文献１】特開２０１５−６０８２８号公報
【非特許文献】
【０００４】
【非特許文献１】Jazi al Enezi, Victoria Revell, Timothy Brown, Jonathan Wynne, Luc Schlangen, Robert Lucas, A”melanopic”spectral efficiency function predicts the sensitivity of melanopsin photoreceptors to polychromatic lights,Journal of Biological Rhythms,26-4,pp.314-323(2011)
【発明の概要】
【発明が解決しようとする課題】
【０００５】
照明制御のなかには、光源の発光状態が、生活リズムの改善など効果が得られるように定められているものがある。このような照明制御中に光源の発光状態がユーザによってむやみに変更されると照明制御によって意図される効果が得られにくい。
【０００６】
本発明は、一定の制限の下で光源の発光状態を変更することができる照明制御装置、照明システム、及び、照明制御方法を提供する。
【課題を解決するための手段】
【０００７】
本発明の一態様に係る照明制御装置は、時間帯に応じて光源の発光状態を制御するシーン制御を行う制御部と、前記光源の発光状態を指示する第一設定パラメータを入力するための第一操作を受け付ける操作受付部とを備え、前記制御部は、前記第一操作によって入力された前記第一設定パラメータが許容範囲内であるか否かの判定を行い、（１）入力された前記第一設定パラメータが前記許容範囲内であると判定された場合には、前記第一設定パラメータに基づいて前記シーン制御を行い、（２）入力された前記第一設定パラメータが前記許容範囲外であると判定された場合には、前記許容範囲内の設定パラメータに基づいて前記シーン制御を行う。
【０００８】
本発明の一態様に係る照明システムは、前記照明制御装置と、前記光源とを備える。
【０００９】
本発明の一態様に係る照明制御方法は、時間帯に応じて光源の発光状態を制御するシーン制御を行う照明制御方法であって、前記シーン制御中の前記光源の発光状態を指示する第一設定パラメータを入力するための第一操作を受け付け、前記第一操作によって入力された前記第一設定パラメータが許容範囲内である場合には、入力された前記第一設定パラメータに基づいて前記シーン制御を行い、入力された前記第一設定パラメータが前記許容範囲外であると判断される場合には、前記許容範囲内の設定パラメータに基づいて前記シーン制御を行う。
【００１０】
本発明の一態様に係るプログラムは、前記照明制御方法をコンピュータに実行させるためのプログラムである。
【発明の効果】
【００１１】
本発明によれば、一定の制限の下で光源の発光状態を変更することができる照明制御装置、照明システム、及び、照明制御方法が実現される。
【図面の簡単な説明】
【００１２】
【図１】図１は、実施の形態１に係る照明システムの概要を示す図である。
【図２】図２は、実施の形態１に係る照明システムの機能構成を示すブロック図である。
【図３】図３は、シーン制御を行うための情報の一例を示す図である。
【図４】図４は、シーン制御中の照明制御装置の動作例１のフローチャートである。
【図５】図５は、シーン制御中の照明制御装置の動作例２のフローチャートである。
【図６】図６は、許容範囲の決定動作例１のフローチャートである。
【図７】図７は、許容範囲の決定方法の第一の例を示す図である。
【図８】図８は、許容範囲の決定方法の第二の例を示す図である。
【図９】図９は、許容範囲の決定方法の第三の例を示す図である。
【図１０】図１０は、許容範囲の決定方法の第四の例を示す図である。
【図１１】図１１は、許容範囲の決定動作例２のフローチャートである。
【図１２】図１２は、ユーザ情報がユーザの年齢を示す情報である場合における朝の時間帯の許容範囲の決定方法の一例を示す図である。
【図１３】図１３は、ユーザ情報がユーザの健康状態を示す情報である場合における朝の時間帯の許容範囲の決定方法の一例を示す図である。
【図１４】図１４は、許容範囲の決定動作例３のフローチャートである。
【図１５】図１５は、環境情報が光源が使用される場所の季節を示す情報である場合における朝の時間帯の許容範囲の決定方法の一例を示す図である。
【図１６】図１６は、環境情報が光源が使用される場所の緯度を示す情報である場合における朝の時間帯の許容範囲の決定方法の一例を示す図である。
【発明を実施するための形態】
【００１３】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１４】
なお、各図は模式図であり、必ずしも厳密に図示されたものではない。また、各図において、実質的に同一の構成に対しては同一の符号を付し、重複する説明は省略または簡略化される場合がある。
【００１５】
（実施の形態１）
［照明システムの概要］
まず、実施の形態１に係る照明システムの全体構成について説明する。図１は、実施の形態１に係る照明システムの概要を示す図である。図２は、実施の形態１に係る照明システムの機能構成を示すブロック図である。
【００１６】
図１及び図２に示されるように、照明システム１０は、照明制御装置２０と、光源３０とを備える。
【００１７】
光源３０は、室内空間５０を規定する天井に取り付けられ、室内空間５０を照明するシーリングライトである。光源３０は、例えば、平面視形状が円形のシーリングライトであるが、長尺状のシーリングライトであってもよいし、ダウンライトまたはスポットライトなどであってもよい。光源３０は、調光及び調色が可能な照明装置であり、白色光を発する。
【００１８】
照明制御装置２０は、ユーザが光源３０の発光状態を制御するために操作するリモートコントローラである。照明制御装置２０は、光源３０の専用のリモートコントローラであってもよいし、光源３０を制御するためのアプリケーションがインストールされたスマートフォン等の携帯端末であってもよい。照明制御装置２０は、操作受付部２１と、制御部２２と、通信部２３と、記憶部２４とを備える。
【００１９】
操作受付部２１は、ユーザの操作を受け付ける。操作受付部２１は、タッチパネル、及び、ハードウェアボタンなどによって実現される。
【００２０】
制御部２２は、操作受付部２１によって受け付けられた操作に応じて光源３０の発光状態を制御する。制御部２２は、具体的には、操作受付部２１によって受け付けられた操作に応じた制御信号を通信部２３に送信させる。これにより、光源３０は、操作に応じて発光する。制御部２２は、具体的には、マイクロコンピュータまたはプロセッサによって実現されるが、専用回路などによって実現される。
【００２１】
通信部２３は、制御部２２の制御に基づいて、制御信号を光源３０に送信する。制御信号を受信した光源３０は、制御信号に従って発光する。通信部２３は、具体的には、通信回路によって実現される。なお、通信部２３によって行われる通信は、有線通信であってもよいし、無線通信であってもよい。通信に用いられる通信規格についても特に限定されない。なお、無線通信には、具体的には、光通信及び電波通信が含まれる。
【００２２】
記憶部２４は、制御部２２が実行する制御プログラムが記憶される記憶装置である。記憶部２４は、具体的には、半導体メモリなどによって実現される。
【００２３】
［シーン制御の概要］
制御部２２は、通常制御及びシーン制御を行うことができる。通常制御は、操作受付部２１によって受け付けられたユーザの操作に応じて、ユーザの指示通りの明るさ及び色温度で光源３０を発光させる制御である。一方で、シーン制御は、時間帯に応じて自動的に光源３０の明るさ及び色温度が変更される制御である。通常制御及びシーン制御は、操作受付部２１によって受け付けられたユーザの操作によって切り替えられる。
【００２４】
シーン制御においては、例えば、午前中及び日中に属する時間帯に、比較的高い色温度で、かつ、比較的明るい光が光源３０から発せられ、夜間に属する時間帯に、比較的低い色温度で、かつ、比較的暗い光が光源３０から発せられる。これにより、照明システム１０は、ユーザの生活リズムを整えるため光環境を実現することができる。
【００２５】
シーン制御において光源３０が発する光の色温度及び明るさは、通常、生活リズムの改善効果等を考慮して照明システム１０の設計者などによってあらかじめ定められ、ユーザによって変更することはできない。しかしながら、例えば、普段、電球色の照明を使用しているユーザは、シーン制御において日中に発せられる高色温度の明るい光に対して眩しさを感じる場合がある。また、加齢によって水晶体が黄変している高齢のユーザは、シーン制御において夜間発せられる低色温度の暗い光を不快であると感じる場合がある。このようにシーン制御においては、ユーザの好みを反映できないことが課題である。
【００２６】
一方で、シーン制御においてユーザの好みが自由に反映されると、生活リズムの改善効果等の、照明システム１０の設計者が意図した効果が得られない可能性がある。
【００２７】
そこで、照明システム１０では、シーン制御においても許容範囲内でユーザの好みを反映することができる。例えば、照明制御装置２０の記憶部２４には、シーン制御を行うための情報が記憶される。図３は、シーン制御を行うための情報の一例を示す図である。
【００２８】
図３に示されるように、記憶部２４には、シーンごとにデフォルト設定パラメータと許容範囲とが定められている。例えば、朝の時間帯における許容範囲は、夜の時間帯における前記許容範囲と異なる。また、デフォルト設定パラメータ及び許容範囲は、明るさ及び色温度のそれぞれについて定められている。なお、図３において、光源３０が発する光の明るさは、一例として顔面照度（単位：ルクス）で表現されているが、他の物理量で表現されてもよい。
【００２９】
図３に示されるように、制御部２２は、例えば、シーン制御中のＡＭ５：００〜１１：００の時間帯には、光源３０の発光状態を、照度１１００ルクス、かつ、色温度６２００Ｋに制御する。ユーザから設定パラメータの変更が指示された場合には、指示された設定パラメータが許容範囲内であるか否かの判定に基づき、設定パラメータの変更を行う。
【００３０】
［動作例１］
以下、シーン制御中の照明制御装置２０の動作例１について図３に加えて図４のフローチャートを参照しながら説明する。図４は、シーン制御中の照明制御装置２０の動作例１のフローチャートである。
【００３１】
まず、操作受付部２１は、第一設定パラメータを入力するための第一操作を受け付ける（Ｓ１１）。第一設定パラメータは、光源３０の発光状態を指示する設定パラメータである。つまり、ステップＳ１１においては、シーン制御中の設定パラメータを第一設定パラメータに変更することがユーザによって指示される。第一設定パラメータは、例えば、シーン制御中に入力されるが、通常制御中に入力されてもよい。入力された第一設定パラメータ（つまり、現在の設定値）は、例えば、記憶部２４に記憶される。
【００３２】
制御部２２は、第一操作によって入力された第一設定パラメータが許容範囲内であるか否かの判定を行う（Ｓ１２）。制御部２２は、入力された第一設定パラメータが許容範囲内であると判定された場合には（Ｓ１２でＹｅｓ）、第一設定パラメータに基づいてシーン制御を行う（Ｓ１３）。例えば、朝のシーン制御中に、第一設定パラメータとして１２００ルクスが入力された場合、第一設定パラメータは、許容範囲の１１００ルクス以上を満たす。したがって、制御部２２は、光源３０の発光状態を、デフォルトの照度１１００ルクスから照度１２００ルクスに変更する。
【００３３】
一方、制御部２２は、入力された第一設定パラメータが許容範囲外であると判定された場合には（Ｓ１２でＮｏ）、デフォルト設定パラメータに基づいてシーン制御を行う（Ｓ１４）。例えば、夜のシーン制御中に、第一設定パラメータとして５００ルクスが入力された場合、第一設定パラメータは、許容範囲の３５０ルクス以下を満たさない。したがって、制御部２２は、光源３０の発光状態をデフォルトの照度３００ルクスのまま維持する。
【００３４】
以上のような動作例１によれば、ユーザは、光源３０の発光状態を、設計者の意図する効果が得られる範囲で変更することができる。
【００３５】
［動作例２］
図５は、シーン制御中の照明制御装置２０の動作例２のフローチャートである。なお、以下の動作例２の説明においては、動作例１と同様の部分については詳細な説明が省略される。
【００３６】
動作例２では、制御部２２は、入力された第一設定パラメータが許容範囲外であると判定された場合には（Ｓ１２でＮｏ）、許容範囲内で入力された第一設定パラメータに最も近い設定パラメータに基づいてシーン制御を行う（Ｓ１５）。例えば、夜のシーン制御中に、第一設定パラメータとして５００ルクスが入力された場合、第一設定パラメータは、許容範囲の３５０ルクス以下を満たさない。このとき、制御部２２は、光源３０の発光状態を許容範囲の上限値である３５０ルクスに変更する。つまり、制御部２２は、光源３０の発光状態を、許容範囲内で５００ルクスに最も近い３５０ルクスに変更する。
【００３７】
このように、入力された第一設定パラメータが許容範囲外であると判定された場合には、許容範囲内の設定パラメータに基づいてシーン制御が行われればよい。動作例２によれば、制御部２２は、許容範囲内でユーザの意図を反映したシーン制御を行うことができる。
【００３８】
［許容範囲の決定動作例１］
許容範囲は、あらかじめ定められていてもよいが、制御部２２によって動的に決定されてもよい。例えば、第二時間帯における設定パラメータに応じて、第二時間帯と異なる第一時間帯における許容範囲が変更されてもよい。図６は、このような許容範囲の決定動作例１のフローチャートである。
【００３９】
まず、操作受付部２１は、第二時間帯における光源３０の発光状態を指示する第二設定パラメータを入力するための第二操作を受け付ける（Ｓ２１）。つまり、ステップＳ２１においては、シーン制御中の第二時間帯における設定パラメータを第二設定パラメータに変更することがユーザによって指示される。第二設定パラメータは、例えば、シーン制御中の第二時間帯において入力されるが、シーン制御中の第二時間帯以外の時間帯（例えば、第一時間帯）に入力されてもよいし、通常制御中に入力されてもよい。入力された第二設定パラメータ（つまり、現在の設定値）は、例えば、記憶部２４に記憶される。
【００４０】
制御部２２は、第二操作によって入力された第二設定パラメータに応じて第一時間帯における許容範囲を決定する（Ｓ２２）。制御部２２は、より具体的には、記憶部２４を参照することで特定される現在の第二設定パラメータに応じて第一時間帯における許容範囲を決定する。図７は、許容範囲の決定方法の第一の例を示す図である。
【００４１】
第一時間帯が朝の時間帯であり、第二時間帯が深夜の時間帯である場合、制御部２２は、深夜の時間帯の第二設定パラメータがデフォルト値であるか否かを判定する。制御部２２は、第二設定パラメータがデフォルト値（例えば、１０ルクス）である場合、朝の時間帯における明るさの許容範囲を２０００ルクス以上に決定する。一方で、制御部２２は、第二設定パラメータがデフォルト値よりも低い場合（例えば、２ルクス）、朝の時間帯における明るさの許容範囲を７５０ルクス以上に決定する。つまり、制御部２２は、深夜の時間帯における明るさの許容範囲がデフォルト値よりも低い場合に、朝の時間帯における許容範囲を、下限値を減少させることにより広げる。
【００４２】
また、図８は、許容範囲の決定方法の第二の例を示す図である。発明者らの知見によれば、ユーザの就寝前の光環境と当該ユーザの日中の光環境との照度差が２００倍以上である場合に当該ユーザの睡眠状態が良化する。そこで、第一時間帯が深夜の時間帯であり、第二時間帯が朝の時間帯である場合、制御部２２は、深夜の時間帯の明るさの許容範囲の上限値を、朝の時間帯の第二設定パラメータの約０．００５倍未満に決定する。例えば、朝の時間帯の第二設定パラメータが１０００ルクスである場合、深夜の明るさの許容範囲の上限値は、１０ルクス未満となる。
【００４３】
このように、制御部２２は、第二設定パラメータによって指示される明るさの所定倍の明るさを許容範囲の上限値として決定する。これにより、ユーザは、睡眠状態が良くなる効果が得られる範囲で深夜の時間帯における光源３０の発光状態を変更することができる。なお、制御部２２は、第二設定パラメータによって指示される明るさの所定倍の明るさを許容範囲の下限値として決定してもよい。
【００４４】
また、図９は、許容範囲の決定方法の第三の例を示す図である。非特許文献１、及び、発明者らの知見によれば、夜の時間帯の設定パラメータに基づいて定められる生体作用度が朝の時間帯の設定パラメータに基づいて定められる生体作用度の０．８倍未満であればユーザの睡眠状態が良化する。
【００４５】
そこで、第一時間帯が夜の時間帯であり、第二時間帯が朝の時間帯である場合、制御部２２は、夜の時間帯の第一設定パラメータによって定まる生体作用度の許容範囲を、朝の時間帯の第二設定パラメータによって定まる生体作用度の０．８倍未満に決定する。
【００４６】
例えば、朝の時間帯の色温度の第二設定パラメータが昼光色、昼白色、または白色であり、朝の時間帯の明るさの第二設定パラメータが７５０ルクス程度であるとする。この場合、夜の時間帯の色温度の第一設定パラメータが温白色または電球色であり、夜の時間帯の明るさの第一設定パラメータが１００ルクス程度である場合、生体作用度の比は朝の時間帯：夜の時間帯＝５：３となり、上記許容範囲を満たす。
【００４７】
このように、制御部２２は、夜の時間帯の第一設定パラメータによって定まる生体作用度の許容範囲を、朝の時間帯の第二設定パラメータによって定まる生体作用度に基づいて決定する。これにより、ユーザは、睡眠状態が良くなる効果が得られる範囲で深夜の時間帯における光源３０の発光状態を変更することができる。
【００４８】
また、図１０は、許容範囲の決定方法の第四の例を示す図である。第一時間帯が朝の時間帯の後に連続する昼の時間帯であり、第二時間帯が朝の時間帯である場合、朝の時間帯の明るさの第二設定パラメータをＰルクスとすると、制御部２２は、昼の時間帯の明るさの許容範囲を、Ｐ−３００ルクス以上Ｐ以下に決定する。例えば、朝の時間帯の第二設定パラメータが１０００ルクスである場合、昼の時間帯の明るさの許容範囲は、７００ルクス以上１０００ルクス以下となる。
【００４９】
このように、制御部２２は、第二設定パラメータによって指示される明るさを許容範囲の上限値とし、かつ、第二設定パラメータによって指示される明るさを所定量オフセットさせた明るさを許容範囲の下限値とする。これにより、朝の時間帯から昼の時間帯に移行する際に急激に明るさが変わることが抑制される。つまり、ユーザが違和感を感じることが抑制される。なお、制御部２２は、第二設定パラメータによって指示される明るさを許容範囲の下限値とし、かつ、第二設定パラメータによって指示される明るさを所定量オフセットさせた明るさを許容範囲の上限値としてもよい。
【００５０】
同様に、制御部２２は、朝の時間帯の色温度の第二設定パラメータをｐ［Ｋ］とすると、昼の時間帯の色温度の許容範囲を、ｐ−７５０［Ｋ］以上ｐ［Ｋ］以下に決定する。例えば、朝の時間帯の第二設定パラメータが６０００Ｋである場合、昼の時間帯の色温度の許容範囲は、５２５０Ｋ以上６０００Ｋ以下となる。
【００５１】
このように、制御部２２は、第二設定パラメータによって指示される色温度を許容範囲の上限値とし、かつ、第二設定パラメータによって指示される色温度を所定量オフセットさせた色温度を許容範囲の下限値とする。これにより、朝の時間帯から昼の時間帯に移行する際に急激に色温度が変わることが抑制される。つまり、ユーザが違和感を感じることが抑制される。なお、制御部２２は、第二設定パラメータによって指示される色温度を許容範囲の下限値とし、かつ、第二設定パラメータによって指示される色温度を所定量オフセットさせた色温度を許容範囲の上限値としてもよい。
【００５２】
［許容範囲の決定動作例２］
また、許容範囲は、ユーザ情報に応じて決定されてもよい。図１１は、このような許容範囲の決定動作例２のフローチャートである。
【００５３】
まず、操作受付部２１は、ユーザ情報を入力するための第三操作を受け付ける（Ｓ３１）。ユーザ情報は、例えば、ユーザの年齢を示す情報、ユーザの健康状態を示す情報などである。
【００５４】
制御部２２は、第三操作によって入力されたユーザ情報に応じて許容範囲を決定する（Ｓ３２）。図１２は、ユーザ情報がユーザの年齢を示す情報である場合における朝の時間帯の許容範囲の決定方法の一例を示す図である。
【００５５】
制御部２２は、例えば、ユーザ情報が示す年齢が所定の年齢（例えば、６５歳）以上であるか否かを判定する。制御部２２は、ユーザ情報が示す年齢が６５歳未満であると判定された場合、朝の時間帯の明るさの許容範囲を２０００ルクス以上に決定し、ユーザ情報が示す年齢が６５歳以上であると判定された場合、朝の時間帯の明るさの許容範囲を２５００ルクス以上に決定する。つまり、制御部２２は、ユーザ情報が示す年齢が高いほど許容範囲の下限値を増加させる。
【００５６】
発明者らの知見によれば、年齢の高いユーザが生活リズムの改善効果を得るためには、朝の時間帯に年齢の低いユーザよりも明るい光を浴びることが必要となる。つまり、図１２のような許容範囲の決定方法によれば、制御部２２は、ユーザの年齢を考慮して、生活リズムを改善するために適切なシーン制御を行うことができる。
【００５７】
また、図１３は、ユーザ情報がユーザの健康状態を示す情報である場合における朝の時間帯の許容範囲の決定方法の一例を示す図である。
【００５８】
図１３の例では、健康状態の一例として、認知症の兆候の有無を基準に許容範囲が決定される。制御部２２は、例えば、ユーザ情報に基づいてユーザの認知症の兆候の有無を判定する。制御部２２は、ユーザに認知症の兆候が無いと判定された場合、朝の時間帯の明るさの許容範囲を２０００ルクス以上に決定し、ユーザに認知症の兆候があると判定された場合、朝の時間帯の明るさの許容範囲を２５００ルクス以上に決定する。つまり、制御部２２は、ユーザ情報が示す認知症の兆候が強いほど許容範囲の下限値を増加させる。
【００５９】
発明者らの知見によれば、認知症の兆候があるユーザが生活リズムの改善効果を得るためには、朝の時間帯に認知症の兆候の無いユーザよりも明るい光を浴びることが必要となる。つまり、図１３のような許容範囲の決定方法によれば、制御部２２は、ユーザの認知症の兆候の有無を考慮して、生活リズムを改善するために適切なシーン制御を行うことができる。
【００６０】
［許容範囲の決定動作例３］
また、許容範囲は、光源３０が使用される環境を示す環境情報に応じて決定されてもよい。図１４は、このような許容範囲の決定動作例３のフローチャートである。
【００６１】
まず、操作受付部２１は、環境情報を入力するための第四操作を受け付ける（Ｓ４１）。環境情報は、光源３０が使用される場所の季節を示す情報、または、光源３０が使用される場所の緯度を示す情報などである。
【００６２】
制御部２２は、第四操作によって入力された環境情報に応じて許容範囲を決定する（Ｓ４２）。図１５は、環境情報が光源３０が使用される場所の季節を示す情報である場合における朝の時間帯の許容範囲の決定方法の一例を示す図である。
【００６３】
制御部２２は、例えば、環境情報が示す季節が冬であるか否かを判定する。制御部２２は、環境情報が示す季節が冬以外であると判定された場合、朝の時間帯の明るさの許容範囲を２０００ルクス以上に決定し、環境情報が示す季節が冬であると判定された場合、朝の時間帯の明るさの許容範囲を２５００ルクス以上に決定する。つまり、制御部２２は、環境情報が示す季節が冬である場合に許容範囲の下限値を増加させる。
【００６４】
発明者らの知見によれば、日照時間の短い冬の朝の時間帯において光源３０が比較的明るく発光することで日照時間の不足が補われ、生活リズムの改善効果が得られる。つまり、図１５のような許容範囲の決定方法によれば、制御部２２は、光源３０が使用される環境の日照時間を考慮して、生活リズムを改善するために適切なシーン制御を行うことができる。
【００６５】
また、図１６は、環境情報が光源３０が使用される場所の緯度を示す情報である場合における朝の時間帯の許容範囲の決定方法の一例を示す図である。
【００６６】
制御部２２は、例えば、環境情報が示す緯度が所定値（例えば、４０度）以上であるか否かを判定する。制御部２２は、環境情報が示す緯度が４０度未満であると判定された場合、朝の時間帯の明るさの許容範囲を２０００ルクス以上に決定し、環境情報が示す緯度が４０度以上であると判定された場合、朝の時間帯の明るさの許容範囲を２５００ルクス以上に決定する。つまり、制御部２２は、環境情報が示す緯度が大きいほど許容範囲の下限値を増加させる。
【００６７】
発明者らの知見によれば、日照時間の短い緯度の高い地方においては、光源３０が比較的明るく発光することで日照時間の不足が補われ、生活リズムの改善効果が得られる。つまり、図１６のような許容範囲の決定方法によれば、制御部２２は、光源３０が使用される環境の日照時間を考慮して、生活リズムを改善するために適切なシーン制御を行うことができる。
【００６８】
［効果等］
以上説明したように、照明制御装置２０は、時間帯に応じて光源３０の発光状態を制御するシーン制御を行う制御部２２と、光源３０の発光状態を指示する第一設定パラメータを入力するための第一操作を受け付ける操作受付部２１とを備える。制御部２２は、第一操作によって入力された第一設定パラメータが許容範囲内であるか否かの判定を行い、（１）入力された第一設定パラメータが許容範囲内であると判定された場合には、第一設定パラメータに基づいてシーン制御を行い、（２）入力された第一設定パラメータが許容範囲外であると判定された場合には、許容範囲内の設定パラメータに基づいてシーン制御を行う。
【００６９】
このような照明制御装置２０は、一定の制限の下で設定パラメータの変更を許容することができる。例えば、シーン制御における光源３０の発光状態が生活リズムの改善効果等を考慮して定められている場合、照明制御装置２０は、生活リズムの改善効果が得られる範囲で設定パラメータの変更を許容することができる。
【００７０】
また、例えば、シーン制御は、第一時間帯、及び、第一時間帯と異なる第二時間帯において行われ、第一時間帯における許容範囲は、第二時間帯における許容範囲と異なる。
【００７１】
このような照明制御装置２０は、時間帯ごとに異なる許容範囲に基づいて判定を行うことができる。
【００７２】
また、例えば、シーン制御は、第一時間帯、及び、第一時間帯と異なる第二時間帯において行われ、操作受付部２１は、第二時間帯における光源３０の発光状態を指示する第二設定パラメータを入力するための第二操作をさらに受け付ける。制御部２２は、第二操作によって入力された第二設定パラメータに応じて第一時間帯における許容範囲を決定する。
【００７３】
このような照明制御装置２０は、第二時間帯における光源３０の発光状態に応じて設定パラメータの変更に制限を加えることができる。
【００７４】
また、例えば、第二設定パラメータは、光源３０が発する光の明るさを指示する設定パラメータであり、制御部２２は、第二設定パラメータによって指示される明るさの所定倍の明るさを許容範囲の上限値または下限値として決定する。
【００７５】
このような照明制御装置２０は、第二設定パラメータを用いた演算を行うことにより、第一時間帯における光源３０の明るさに制限を加えることができる。
【００７６】
また、例えば、第二設定パラメータは、光源３０が発する光の明るさを指示する設定パラメータであり、制御部２２は、第二設定パラメータによって指示される明るさを所定量オフセットさせた明るさを許容範囲の上限値または下限値として決定する。
【００７７】
このような照明制御装置２０は、第二設定パラメータを用いた演算を行うことにより、第一時間帯における光源３０の明るさに制限を加えることができる。
【００７８】
また、例えば、第二設定パラメータは、光源３０が発する光の色温度を指示する設定パラメータであり、制御部２２は、第二設定パラメータによって指示される色温度を所定量オフセットさせた色温度を許容範囲の上限値または下限値として決定する。
【００７９】
このような照明制御装置２０は、第二設定パラメータを用いた演算を行うことにより、第一時間帯における光源３０の色温度に制限を加えることができる。
【００８０】
また、例えば、第一時間帯は、第二時間帯の後に連続する。
【００８１】
このような照明制御装置２０は、第一時間帯の直前の第二時間帯における光源３０の発光状態に基づいて、第一時間帯における光源３０の発光状態に制限を加えることができる。
【００８２】
また、例えば、操作受付部２１は、照明制御装置２０のユーザ情報を入力するための第三操作を受け付け、制御部２２は、第三操作によって入力されたユーザ情報に応じて許容範囲を決定する。
【００８３】
このような照明制御装置２０は、ユーザ情報に基づいて、第一時間帯における光源３０の発光状態に制限を加えることができる。
【００８４】
また、例えば、ユーザ情報は、ユーザの年齢を示す情報である。
【００８５】
このような照明制御装置２０は、ユーザの年齢に基づいて、第一時間帯における光源３０の発光状態に制限を加えることができる。
【００８６】
また、例えば、ユーザ情報は、ユーザの健康状態を示す情報である。
【００８７】
このような照明制御装置２０は、ユーザの健康状態に基づいて、第一時間帯における光源３０の発光状態に制限を加えることができる。
【００８８】
また、例えば、操作受付部２１は、光源３０の使用環境を示す環境情報を入力するための第四操作を受け付け、制御部２２は、第四操作によって入力された環境情報に応じて許容範囲を決定する。
【００８９】
このような照明制御装置２０は、環境情報に基づいて、第一時間帯における光源３０の発光状態に制限を加えることができる。
【００９０】
また、例えば、環境情報は、光源３０が使用される場所の季節を示す情報である。
【００９１】
このような照明制御装置２０は、光源３０が使用される場所の季節に基づいて、第一時間帯における光源３０の発光状態に制限を加えることができる。
【００９２】
また、例えば、環境情報は、光源３０が使用される場所の緯度を示す情報である。
【００９３】
このような照明制御装置２０は、光源３０が使用される場所の緯度に基づいて、第一時間帯における光源３０の発光状態に制限を加えることができる。
【００９４】
また、例えば、照明制御装置２０は、さらに、シーン制御におけるデフォルト設定パラメータが記憶された記憶部２４を備える。制御部２２は、入力された第一設定パラメータが許容範囲外であると判定された場合には、デフォルト設定パラメータに基づいてシーン制御を行う。
【００９５】
このような照明制御装置２０は、入力された第一設定パラメータが許容範囲外であると判定された場合に、第一設定パラメータと異なる許容範囲内の設定パラメータに基づいてシーン制御を行うことができる。
【００９６】
また、制御部２２は、入力された第一設定パラメータが許容範囲外であると判定された場合には、許容範囲内で入力された第一設定パラメータに最も近い設定パラメータに基づいてシーン制御を行う。
【００９７】
このような照明制御装置２０は、許容範囲内で発光状態を第一設定パラメータに近づけてシーン制御を行うことができる。
【００９８】
また、照明システム１０は、照明制御装置２０と、光源３０とを備える。
【００９９】
このような照明システム１０は、一定の制限の下で設定パラメータの変更を許容することができる。例えば、シーン制御における光源３０の発光状態が生活リズムの改善効果等を考慮して定められている場合、照明システム１０は、生活リズムの改善効果が得られる範囲で設定パラメータの変更を許容することができる。
【０１００】
また、上記実施の形態に係る照明制御方法は、時間帯に応じて光源３０の発光状態を制御するシーン制御を行う照明制御方法である。照明制御方法は、シーン制御中の光源３０の発光状態を指示する第一設定パラメータを入力するための第一操作を受け付け、第一操作によって入力された第一設定パラメータが許容範囲内である場合には、入力された第一設定パラメータに基づいてシーン制御を行い、入力された第一設定パラメータが許容範囲外であると判断される場合には、許容範囲内の設定パラメータに基づいてシーン制御を行う。
【０１０１】
このような照明制御方法は、一定の制限の下で設定パラメータの変更を許容することができる。例えば、シーン制御における光源３０の発光状態が生活リズムの改善効果等を考慮して定められている場合、照明制御方法は、生活リズムの改善効果が得られる範囲で設定パラメータの変更を許容することができる。
【０１０２】
（その他の実施の形態）
以上、実施の形態に係る照明システムについて説明したが、本発明は、上記実施の形態に限定されるものではない。
【０１０３】
例えば、上記実施の形態で説明された、シーン制御における時間帯の区分け、許容範囲、デフォルト設定パラメータなどは一例であり、特に限定されない。また、シーン制御は、生活リズムの改善以外の効果を狙ったシステムであってもよい。
【０１０４】
また、上記実施の形態においてシーン制御の時間帯が遷移する際には、光源の明るさまたは色温度のフェード制御が行われてもよい。例えば、朝の時間帯から昼の時間帯に遷移する際に光源の明るさまたは色温度のフェード制御が行われてもよい。
【０１０５】
また、上記実施の形態における装置間の通信方法については特に限定されるものではない。装置間では、無線通信が行われてもよいし、有線通信が行われてもよい。また、装置間では、無線通信及び有線通信が組み合わされてもよい。
【０１０６】
また、例えば、上記実施の形態において、特定の処理部が実行する処理を別の処理部が実行してもよい。また、複数の処理の順序が変更されてもよいし、複数の処理が並行して実行されてもよい。
【０１０７】
また、上記実施の形態では、照明システムは、複数の装置を含むシステムとして実現されたが、単一の装置のみを含むシステムとして実現されてもよい。また、照明システムは、クライアントサーバシステムとして実現されてもよい。この場合、例えば、上記実施の形態で制御部が行った判定がサーバで行われてもよい。
【０１０８】
また、上記実施の形態において、制御部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１０９】
また、制御部などの構成要素は、ハードウェアによって実現されてもよい。制御部などの構成要素は、具体的には、回路または集積回路によって実現されてもよい。これらの回路は、全体として１つの回路を構成してもよいし、それぞれ別々の回路でもよい。また、これらの回路は、それぞれ、汎用的な回路でもよいし、専用の回路でもよい。
【０１１０】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、照明制御方法をコンピュータに実行させるためのプログラムとして実現されてもよいし、このようなプログラムが記録された非一時的な記録媒体として実現されてもよい。
【０１１１】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１２】
１０  照明システム
２０  照明制御装置
２１  操作受付部
２２  制御部
２３  通信部
２４  記憶部
３０  光源
【図１】
2019149276.tif 000003
【図２】
2019149276.tif 000004
【図３】
2019149276.tif 000005
【図４】
2019149276.tif 000006
【図５】
2019149276.tif 000007
【図６】
2019149276.tif 000008
【図７】
2019149276.tif 000009
【図８】
2019149276.tif 000010
【図９】
2019149276.tif 000011
【図１０】
2019149276.tif 000012
【図１１】
2019149276.tif 000013
【図１２】
2019149276.tif 000014
【図１３】
2019149276.tif 000015
【図１４】
2019149276.tif 000016
【図１５】
2019149276.tif 000017
【図１６】
2019149276.tif 000018